(57)【要約】本発明は、１つまたは複数の洗剤界面活性剤、および液体中に分散した肉眼で見える研磨材粒子を含む透明な水性の液体ゲルである、硬質表面用の液体研磨洗浄組成物を提供する。ゲルと粒子は異なる色を有することが好ましい。粒子は０．３ｍｍと２．５ｍｍの間の、ほぼ均一な粒子径を有していることが好ましい。本発明は、本発明による組成物を表面に施すステップを含む硬質表面を洗浄するための方法も提供する。【特許請求の範囲】
【請求項１】
１つまたは複数の洗剤界面活性剤を含む液体硬質表面研磨洗浄組成物であって、上記液体中に分散された０．３ｍｍと２．５ｍｍの間の平均粒子サイズを有する肉眼で見える研磨材粒子を含む透明な水性ゲルであることを特徴とする、上記洗浄組成物。
【請求項２】
粒子サイズが０．５ｍｍより大きいことを特徴とする請求項１に記載の洗浄組成物。
【請求項３】
すべての粒子が平均粒子サイズの±７０％の範囲内の粒子サイズを有することを特徴とする請求項１から２に記載の洗浄組成物。
【請求項４】
すべての粒子が平均粒子サイズの±５０％の範囲内の粒子サイズを有することを特徴とする請求項３に記載の洗浄組成物。
【請求項５】
前記粒子が、任意の一方向の粒子の最長径と最短径との比が３：１以下であるような球形度を有することを特徴とする請求項１から４に記載の洗浄組成物。
【請求項６】
粒子が滑らかな円形であることを特徴とする請求項５に記載の洗浄組成物。
【請求項７】
２１ｓｅｃ−１において１００ｍＰａｓと１０００ｍＰａｓの間の粘度を有することを特徴とする請求項１から６に記載の洗浄組成物。
【請求項８】
液体と粒子が異なる色を有することを特徴とする請求項１から７に記載の洗浄組成物。
【請求項９】
液体と研磨材粒子が対照的な色を有することを特徴とする請求項８に記載の洗浄組成物。
【請求項１０】
少なくとも０．１％であるが、１５％未満の界面活性剤を含むことを特徴とする請求項１から９に記載の洗浄組成物。
【請求項１１】
界面活性剤がアニオン性界面活性剤、非イオン性界面活性剤、およびこれらの混合物から選択されることを特徴とする請求項１から１０に記載の洗浄組成物。
【請求項１２】
０．１〜２０％の研磨材粒子を含むことを特徴とする請求項１から１１に記載の洗浄組成物。
【請求項１３】
請求項１から１２のいずれか一項に記載の洗浄組成物を表面に施すステップを含む、硬質表面を洗浄するための方法。
【発明の詳細な説明】
【０００１】
発明の分野
本発明は、硬質表面を洗浄するための液体組成物に関する。詳細には本発明は、肉眼で見える固体粒子を含む、透明な液体である洗浄用ゲルに関する。
【０００２】
発明の背景
硬質表面を洗浄するための液体研磨材である洗浄組成物は、当分野でよく知られている。一般にこれらの組成物は、乳白色の外見を有している。これらの組成物は、低いせん断応力において、液体中に均一に分散している微細な研磨材粒子を保つのに充分な粘度を有しているが、同時にこれらの組成物は、ボトルから施されるときは真の液体として働く。これらの組成物中の微細な研磨材粒子（粉末）は、一般に２００ミクロン未満、殆んどの場合１００ミクロン未満の粒子サイズを有している。このような組成物中に使用されるよく知られている研磨材はシリカ、方解石、長石、および類似の無機物質、およびいくつかの有機ポリマー粒子であり、これらはすべて６までのモース硬度を有している。多くの消費者がこのような組成物を広く使用しているが、これらの製品の感覚または外観を認めておらず、これらが製品の繊細な表面にかき傷をつける可能性があることを懸念している消費者もいる。
【０００３】
市場のいくつかの液体研磨材製品は、ゲル様の不透明な液体からなっており、この液体中には、一方では１ｍｍを超える間で直径が異なり、他方では肉眼ではほとんど見ることができない、さまざまな粗大および微細な不規則な形状の研磨材ポリマー粒子が分散している。このため、全体的な製品の外見は魅力あるものではない。したがって、消費者にとって視覚的に魅力があり同時に効果的に洗浄を行う、固体粒子を含む新しい液体状の硬質表面洗浄用の製品が必要とされている。
【０００４】
皮膚のクレンジングの分野では、スクラブ洗顔料として知られており、その中に粗い研磨材粒子が分散している透明な粘性の液体からなる製品が存在する。このような製品は皮膚と強く接触するので、これらはほぼ中性であるｐＨを有していなければならない。これらの製品は洗剤界面活性剤をほとんど含まないか、あるいはまったく含まないかある程度含み、このような界面活性剤は皮膚に優しい界面活性剤から選択され、一般に高価である。このような製品は、皮膚を洗浄するために特に開発され、任意の他の目的、より詳細には硬質表面から頑固な汚れを取り除くのには一般に適していない。
【０００５】
米国特許第５，７４１，７７０号およびＷＯ９７／４１２０４では、透明であるか多少濁っていて、少量の研磨材粒子を含む液晶の洗浄組成物が開示されている。これらの粒子は、平均粒子サイズが８〜１０μｍであるゼオライト、粒子サイズが３００μｍまでの非晶質シリカ、または粒子サイズが５００μｍまでのポリエチレン粉末であってよい。
【０００６】
ＷＯ００／６５０１９は、微細粒子研磨材、およびそれに加えて、香料、シリコーン油などのさまざまな追加的成分を含むマイクロカプセルを含む液体研磨材である洗浄組成物を開示している。研磨材の指定の量および粒子サイズを鑑みると、この組成物が透明あるいは半透明でないことは明らかである。
【０００７】
ＷＯ００／３６０７８は、少なくとも１５％の界面活性剤を含む、注入可能で透明な洗濯用洗剤組成物を開示している。この組成物を増粘させて、濃縮された高アルカリ性の洗剤溶液からは離して保つことが望ましい成分を含む、肉眼で見えるカプセルを懸濁させることができる。他の適用例にも適用できる類似の組成物が、ＧＢ１３０３８１０中に開示されている。カプセルは研磨的な性質は有していない。
【０００８】
したがって、非常にさまざまな粒子サイズおよび開示されていない形状の懸濁した粒子を含むさまざまな液体組成物が、さまざまな目的および適用例について従来技術において記載されているが、消費者に対するこのような組成物の目に見える外見を改善するための方法および手段は、無視され続けているようである。
【０００９】
発明の簡単な説明
本発明は、１つまたは複数の洗剤界面活性剤および液体中に安定に分散している肉眼で見える研磨材粒子を含み、透明な水性液体ゲルである、硬質表面用の液体洗浄組成物を提供する。
【００１０】
本発明はさらに、硬質表面を洗浄するための方法であって、１つまたは複数の洗剤界面活性剤および液体中に均一に分散している肉眼で見える研磨材粒子を含む透明な水性液体ゲルを、表面に施すステップを含む方法を提供する。
【００１１】
発明の詳細な説明
他に具体的に指示しない限り、本明細書で述べるあらゆる量のパーセンテージは重量によるものであり、組成物全体をベースとするものである。
【００１２】
本発明の洗浄組成物は、透明な水性液体ゲルである。したがって、組成物のすべての成分は、研磨材粒子を除いて、明らかに水溶性である。組成物にそのゲルのコンシステンシーを与えるために必要とされる粘度は、透明な溶液を与えることができる適切な増粘剤を加えることによって得られる。このような増粘剤は当分野で知られており、適切な例にはアラビアゴム、キサンタン、アルギン酸（塩）などのさまざまな植物性または微生物性の多糖類ゴム、ならびに合成ポリマー、たとえばアクリル酸、メタクリル酸またはマレイン酸のホモポリマー、およびこれらの相互のコポリマーおよび／またはスチレン、ビニルエーテルなどの他のモノマーとのコポリマーで、ＡＣＵＳＯＬ、ＰＯＬＹＧＥＬ、ＣＡＲＢＯＰＯＬ、ＲＨＥＯＶＩＳなどの商品名でさまざまな製造者によって市販されているような合成ポリマー、および類似の製品が含まれる。本発明の目的では、染料および研磨材粒子の不在下で１ｃｍのキュベット中で測定した、可視領域のいずれか１つの波長、すなわち４００ｎｍと８００ｎｍの間、好ましくは５５０ｎｍと７００ｎｍの間で、ゲルが少なくとも５０％の光を透過させる場合、ゲルは透明であるとみなす。透過率は少なくとも７０％、より好ましくは少なくとも９０％であることが好ましい。
【００１３】
本発明の目的に申し分のないゲルは、２１ｓｅｃ−１において（Ｈａａｋｅ粘度計によって２０℃で測定した）１００ｍＰａｓと１０００ｍＰａｓの間、好ましくは少なくとも２５０ｍＰａｓ、より好ましくは３００〜７５０ｍＰａｓの粘度を一般には有している。低いせん断速度での粘度は、ゲルが肉眼で見える粒子を懸濁させることができるような粘度である。
【００１４】
当分野で知られている多くの液体研磨洗浄製品では、必要とされる粘度は、しばしば電解質と組み合わせて、界面活性剤の自己増粘（構造化）混合物を使用することによって得られる。透明または半透明の液晶構造をもたらすために、特定の条件下での界面活性剤のいくつかの特定の組み合わせが開示されているが、このような増粘系は本発明の目的には一般的に適していない。大部分の構造化された界面活性剤系は、液体を不透明にする。
【００１５】
研磨材粒子
本発明による洗浄組成物を消費者にとって視覚的に魅力があるものにするために、粒子は肉眼で見える、すなわち肉眼で別々にはっきりと見えるものである。これは、充分に０．３ｍｍ未満、大部分の場合は０．１ｍｍ（１００μｍ）以下の平均粒子サイズを一般に有している、大部分の研磨材粉末粒子とは対照的である。
【００１６】
したがって、本発明による粒子は、０．３ｍｍと２．５ｍｍの間、好ましくは０．５ｍｍより大きく１．５ｍｍ以下の平均粒子サイズを有する。さらに、粒子がほぼ均一な粒子サイズ、すなわち粒子がすべて平均粒子サイズの±７０％の範囲内、好ましくは±５０％、より好ましくは±３０％の範囲内の粒子サイズを有している場合、本発明の組成物の目に見える魅力が大幅に向上する。
【００１７】
研磨材粒子は、少なくとも０．１％、好ましくは０．５％の量で使用する。組成物全体の透明性を保持するため、粒子の最大量は２０％、好ましくは１０％、より好ましくは５％である。
【００１８】
粒子は、当分野で知られている研磨材物質でできていてよい。したがって粒子は、シリカ、ケイ酸塩、方解石などのよく知られている無機研磨材の、１つまたは複数の顆粒からなっていてよい。粒子は、ポリエチレン、ポリプロピレン、ポリカーボネートなどの、ポリマー顆粒からなっていてよい。特に適切なのは、当分野で知られている澱粉由来のプラスチックなどの、生分解性ポリマーの顆粒である。
【００１９】
あるいは研磨材粒子は、硬質ワックスおよび脂肪、硬質脂肪酸、硬質脂肪酸石鹸などの、より軟らかい物質でできていてよい。このような物質は、任意の知られている研磨材の微細粒子、または他の物質、好ましくは洗浄プロセスを改善するのに適した固形物質と混合させ、その後必要とされるサイズの顆粒の形にすることもできる。
【００２０】
任意の一方向の粒子の最長径と最短径との比が３：１以下、好ましくは２：１以下あるいはさらに１．５：１であるような一定の最小限度の球形度を粒子が有する場合、粒子、したがって組成物全体の目に見える魅力がさらに向上する。円形、好ましくは滑らかな円形である粒子が特に好ましい。このような粒子は、粒子状物質の溶融体を作成し、後にガス（空気）流中で冷却する小滴中に溶融体を覆うことを含む、小球化法によって作成することができる。したがってさまざまな方法および適切な装置が当分野で知られており、有機研磨材が充分に溶融性が低いという条件で、これらを有機研磨材に適用することができる。無機研磨材粉末などの溶融性の高い粉末を、当分野で知られているさまざまな凝集法によって、必要な場合は凝集用結合剤を使用して、適切に形が整えられた粒子にすることができる。
【００２１】
本発明による洗浄組成物は、その本来の色（多くの場合は白）を有している無色の液体および固体粒子からなっていてよいが、液体と粒子が明らかに異なる色を有している場合、組成物は消費者に対して非常に魅力的である。これらは、同じ色の異なる影、たとえば明るい青色の液体中の暗い青色の粒子を有していてよいか、あるいは液体と粒子が対照的な色、たとえば青、緑または黄色の液体中の白い粒子、またはこの逆を有しているか、あるいは異なる色の液体中の有色粒子が好ましい。
【００２２】
洗浄組成物のｐＨは広い制限値内で変わる可能性があり、一般には２と１４の間であろう。いくつかの表面は酸感受性であり、このため少なくとも３、好ましくは３．５、さらに４のｐＨを有する組成物が勧められる。アルカリ性のｐＨ、すなわち７を超える、好ましくは７．５を超えるｐＨで、脂状の汚れのより良い洗浄が行われることが多い。１２を超えるｐＨは、一般には必要とされない。
【００２３】
界面活性剤
本発明による組成物は、広範囲のアニオン性、非イオン性、カチオン性、両性および両性イオン性界面活性剤から選択することができる、１つまたは複数の界面活性剤を含み、界面活性剤の例は以下に与える。
【００２４】
アニオン性界面活性剤の適切なクラスは、８〜２２個の炭素原子を含むアルキル基、またはアルキル部分に６〜２０個の炭素原子を含むアルキルアリール基を分子構造中に有する、有機硫酸エステルおよびスルホン酸の水溶性の塩である。
【００２５】
このようなアニオン性界面活性剤の例は、以下のものの水溶性の塩である：
長鎖である（すなわち８〜２２個の炭素原子）アルコールの硫酸エステル（本明細書では以後ＰＡＳと呼ぶ）、特に獣脂またはココナッツ油のグリセリドを還元することによって生成させた脂肪アルコールを硫酸化させることにより得られるもの、
アルキルベンゼンスルホン酸、アルキル基が６〜２０個の炭素原子を含むものなど
第二級アルカンスルホン酸。
【００２６】
以下のものの塩も適切である：
アルキルグリセリルエーテルの硫酸エステル、特に獣脂およびココナッツ油から誘導された脂肪アルコールのエーテル、
脂肪酸モノグリセリドの硫酸エステル、
１〜８個のエチレンオキシ単位を含むエトキシル化した脂肪族アルコールの硫酸エステル、
１分子当たり１〜８個のエチレンオキシ単位を有しており、アルキル基が６〜１４個の炭素原子を含む、アルキルフェノールエチレンオキシ−エーテルの硫酸エステル、
イセチオン酸でエステル化しアルカリで中和させた脂肪酸の反応生成物。
【００２７】
非イオン性界面活性剤の適切なクラスは、本来親水性であるシンプルなアルキレンオキシドと、本来脂肪族またはアルキル芳香族であってよい有機疎水性化合物の縮合によって生成される化合物として、広く記載することができる。任意の個々の疎水性基に結合する、親水性またはポリオキシアルキレン鎖の長さを容易に調節して、親水性要素と疎水性要素の間のバランスが望ましい水溶性化合物を生成させることができる。これによって、適切なＨＬＢを有する非イオン性界面活性剤を選択することができる。具体例には以下のものがある：
鎖の形状が線状または分枝状である８〜２２個の炭素原子を有する脂肪族アルコールと、ココナッツアルコール１モル当たり２〜１５モルのエチレンオキシドを有するココナッツアルコールエチレンオキシド縮合物などのエチレンオキシドの縮合生成物、
Ｃ６−Ｃ１５のアルキル基を有するアルキルフェノールと、アルキルフェノール１モル当たり５〜２５モルのエチレンオキシドの縮合物、
エチレンジアミンとプロピレンオキシドの反応生成物とエチレンオキシドの縮合物であって、４０〜８０重量％のエチレンオキシ基を含み、５，０００〜１１，０００の分子量を有する縮合物。
【００２８】
非イオン性界面活性剤の他のクラスは、以下のものである：
長鎖の脂肪族アルコールと糖類の縮合生成物である、アルキルグリコシド、
構造ＲＲＲＮＯの第三級アミンオキシドであって、１つのＲが炭素原子８〜２０個のアルキル基であり、他のＲが炭素原子１〜３個のそれぞれアルキルまたはヒドロキシアルキル基であるアミンオキシド、たとえばジメチルドデシルアミンオキシド、
構造ＲＲＲＰＯの第三級ホスフィンオキシドであって、１つのＲが炭素原子８〜２０個のアルキル基であり、他のＲが炭素原子１〜３個のそれぞれアルキルまたはヒドロキシアルキル基であるホスフィンオキシド、たとえばジメチル−ドデシルホスフィンオキシド、
構造ＲＲＳＯのジアルキルスルホキシドであって、１つのＲが炭素原子１０〜１８個のアルキル基であり、他がメチルまたはエチルであるジアルキルスルホキシド、たとえばメチルテトラデシルスルホキシド、
脂肪酸アルキロールアミド、
脂肪酸アルキロールアミドのアルキレンオキシド縮合物、
アルキルメルカプタン。
【００２９】
適切な両性界面活性剤は、炭素原子８〜２０個のアルキル基およびアニオン性の水に可溶な基によって置換された脂肪族基を含む、脂肪族の第二級および第三級アミンの誘導体、たとえば３−ドデシルアミノプロピオン酸ナトリウム、３−ドデシルアミノプロパンスルホン酸ナトリウム、およびＮ−２−ヒドロキシドデシル−Ｎ−メチルタウリン酸ナトリウムである。
【００３０】
適切なカチオン性界面活性剤の例は、炭素原子８〜２０個の１つまたは２つのアルキル基またはアラリキル基、および２つまたは３つの小さな脂肪族基（たとえばメチル）を有する第四級アンモニウム塩の中に発見することができ、たとえばセチルトリメチルアンモニウムブロミドがある。
【００３１】
適切な両性イオン性界面活性剤の例は、炭素原子８〜１８個の脂肪族基およびアニオン性の水に可溶な基によって置換された脂肪族基を有する、脂肪族第四級アンモニウム、スルホニウムおよびホスホニウム化合物の誘導体中に発見することができ、たとえば３−（Ｎ，Ｎ−ジメチル−Ｎ−ヘキサデシルアンモニウム）プロパン−１−スルホネートベタイン、３−（ドデシルメチルスルホニウム）プロパン−１−スルホネートベタイン、および３−（セチルメチル−ホスホニウム）エタンスルホネートベタインがある。
【００３２】
適切な界面活性剤の他の例は、よく知られている教本であるＳｃｈｗａｒｔｚおよびＰｅｒｒｙによる「Ｓｕｒｆａｃｅ　Ａｃｔｉｖｅ　Ａｇｅｎｔ」Ｖｏｌ．１、Ｓｃｈｗａｒｔｚ、ＰｅｒｒｙおよびＢｅｒｃｈによるＩｎｔｅｒｓｃｉｅｎｃｅ１９４９、Ｖｏｌ．２、Ｉｎｔｅｒｓｃｉｅｎｃｅ１９５８中、Ｍａｎｕｆａｃｔｕｒｉｎｇ　Ｃｏｎｆｅｃｔｉｏｎｅｒｓ　Ｃｏｍｐａｎｙによって刊行された「ＭｃＣｕｔｃｈｅｏｎ’ｓ　Ｅｍｕｌｓｉｆｉｅｒｓ　ａｎｄ　Ｄｅｔｅｒｇｅｎｔ」の現代版中、あるいは「Ｔｅｎｓｉｄｅ　Ｔａｓｃｈｅｎｂｕｃｈ」、Ｈ．Ｓｔａｃｈｅ、２ｎｄ　Ｅｄｎ．、Ｃａｒｌ　Ｈａｕｓｅｒ　Ｖｅｒｌａｇ、１９８１中に記載された、表面活性剤として一般に使用されている化合物である。
【００３３】
アニオン性および非イオン性界面活性剤、およびこれらの組み合わせが特に好ましい。界面活性剤（の組み合わせ）を選択する際には、それらが透明な溶液を与えるように注意を払わなければならない。キシレンスルホン酸ナトリウムまたはクメンスルホン酸などのヒドロトロープ、あるいは当分野で知られている他のものを、必要な場合は加えることができる。
【００３４】
一般に界面活性剤は、少なくとも０．１％、ただし１５％未満、好ましくは０．５〜１０％、より好ましくは１．０％の量で存在する。
【００３５】
任意選択の成分
本発明による組成物は、洗浄性能または消費者への魅力を向上させる、当分野でよく知られているさまざまな任意選択の成分を含んでよい。したがって、本発明による組成物は、ビルダー、キレート剤、電解質、有機溶媒、活性ハロゲンまたはペルオキシ漂白剤、ｐＨ調節剤、消泡剤、抗菌剤、防腐剤、香料、防虫剤などを含むことができる。
【００３６】
方法
硬質表面を洗浄するための方法は、適切な量の本発明による組成物を表面に施し、次いで一般に、拭き物または布を使用して洗浄する表面上の組成物をこすることを含む。組成物は表面に直接施すことができるか、あるいは組成物は、最初に拭き物または布（湿っていることが好ましい）に施すことができ、その後、組成物が施され表面と直面している側面を有する表面上でこれをこする。研磨材粒子がポリマーまたは他の比較的軟らかい物質でできている場合、本発明による組成物は、他の場合は容易にかき傷がつけられると思われる繊細な表面を洗浄するのに非常に適している。
【００３７】
実施例１
以下の配合に従って、透明な液体の青色のゲルを作製した。このゲルは、その中に分散した０．８ｍｍ±２０％の直径を有する脂肪酸顆粒を含んでいた。
【００３８】
【表１】
2004514026.tif 000002
【００３９】
実施例２
以下の配合に従って、透明な液体の緑色のゲルを作製した。このゲルは、その中に分散した０．８ｍｍ±２０％の直径を有するポリエチレン顆粒を含んでいた。生成物は、２０℃、２１ｓｅｃ−１において３８０ｍＰａｓの間の粘度を有しており、ｐＨは１１であった。
【００４０】
【表２】
2004514026.tif 000003
【００４１】
実施例３
わずかに酸性である（ｐＨ約４．５）過酸化水素を含む、透明な硬質表面洗浄用のゲルを、以下の配合に従って作製した。１０重量％（小球について計算して）の重炭酸ナトリウムを含み１．０ｍｍ±２０％の直径を有する、脂肪酸の小球がその中に分散していた。
【００４２】
【表３】
2004514026.tif 000004
【国際公開パンフレット】
2004514026.tif 000005
2004514026.tif 000006
2004514026.tif 000007
2004514026.tif 000008
2004514026.tif 000009
2004514026.tif 000010
2004514026.tif 000011
2004514026.tif 000012
2004514026.tif 000013
2004514026.tif 000014
2004514026.tif 000015
2004514026.tif 000016
2004514026.tif 000017
2004514026.tif 000018
2004514026.tif 000019
2004514026.tif 000020
2004514026.tif 000021
2004514026.tif 000022
【手続補正書】
【提出日】平成14年9月3日(2002.9.3)
【手続補正１】
【補正対象書類名】明細書
【補正対象項目名】特許請求の範囲
【補正方法】変更
【補正の内容】
【特許請求の範囲】
【請求項１】
１つまたは複数の洗浄界面活性剤および研磨剤粒子を含む透明水性ゲル液体硬質表面研磨洗浄組成物であって、前記液体に分散された研磨剤粒子は、０．５ｍｍ以上から２．５ｍｍまでの平均粒子サイズを有する肉眼で見えるものであり、およびすべての粒子は、平均粒子サイズの±７０％の範囲内の粒子サイズを有することをことを特徴とする、上記洗浄組成物。
【請求項２】
粒子サイズが大きくとも１．５ｍｍであることを特徴とする請求項１に記載の洗浄組成物。
【請求項３】
すべての粒子が平均粒子サイズの±５０％の範囲内の粒子サイズを有することを特徴とする請求項１および２に記載の洗浄組成物。
【請求項４】
前記粒子が、任意の一方向の粒子の最長径と最短径との比が３：１以下であるような球形度を有することを特徴とする請求項１から３に記載の洗浄組成物。
【請求項５】
粒子が滑らかな円形であることを特徴とする請求項４に記載の洗浄組成物。
【請求項６】
２１ｓｅｃ−１において１００ｍＰａｓと１０００ｍＰａｓの間の粘度を有することを特徴とする請求項１から５に記載の洗浄組成物。
【請求項７】
液体と粒子が異なる色を有することを特徴とする請求項１から６に記載の洗浄組成物。
【請求項８】
液体と研磨材粒子が対照的な色を有することを特徴とする請求項７に記載の洗浄組成物。
【請求項９】
少なくとも０．１％であるが、１５％未満の界面活性剤を含むことを特徴とする請求項１から８に記載の洗浄組成物。
【請求項１０】
界面活性剤がアニオン性界面活性剤、非イオン性界面活性剤、およびこれらの混合物から選択されることを特徴とする請求項１から９に記載の洗浄組成物。
【請求項１１】
０．１〜２０％の研磨材粒子を含むことを特徴とする請求項１から１０に記載の洗浄組成物。
【請求項１２】
請求項１から１１のいずれか一項に記載の洗浄組成物を表面に施すステップを含む、硬質表面を洗浄するための方法。
【国際調査報告】
2004514026.tif 000023
2004514026.tif 000024
2004514026.tif 000025